【事件の表示】
　特願２００１−１８８６４７「デジタル信号処理装置及びデジタル信号処理方法、並びにデジタル信号再生受信システム」拒絶査定不服審判事件〔平成１５年　１月１０日出願公開、特開２００３−　　６９９１〕について、次のとおり審決する。
【結　論】
　本件審判の請求は、成り立たない。
【理　由】
第１　手続の経緯
　
　本件審判の請求に係る特許出願（以下、「本願」という。）は、平成１３年６月２１日に出願されたものであって、平成１７年５月２４日付けで拒絶査定がなされ、これに対し、同年６月３０日に拒絶査定不服の審判が請求されるとともに、同年８月１日付けで手続補正書が提出されたものである。
　
第２　平成１７年８月１日付けの手続補正についての補正却下の決定
　
〔補正却下の決定の結論〕
　平成１７年８月１日付けの手続補正を却下する。
　
〔理由〕
１．補正の内容
　平成１７年８月１日付けの手続補正（以下、「本件補正」という。）は、特許請求の範囲及び明細書についてするもので、特許請求の範囲については、本件補正前、
「【請求項１】　所定の伝送路を介して伝送されてくるΔΣ変調されている１ビットオーディオ信号を受信する受信手段と、
　前記受信手段にて受信された１ビットオーディオ信号を一旦蓄積するメモリ手段と、
　前記メモリ手段の蓄積量
といくつかの所定値との関係に基づいてそのデータ蓄積量
　ミュート信号を表す１ビットデジタル信号を生成するミュート信号生成手段と、
　前記メモリ手段から読み出された１ビットオーディオ信号と前記ミュート信号生成手段から出力されるミュート信号を表す１ビットデジタル信号とをフェード処理して切り換える切り換え手段と、
　前記切り換え手段から出力される１ビットデジタル信号をアナログ信号に変換するＤ／Ａ変換手段と、
　前記監視手段が監視している、前記メモリ手段の蓄積量と前記いくつかの所定値との関係に基づいて前記ミュート信号生成手段から出力されるミュート信号を表す１ビットデジタル信号と前記メモリ手段から読み出された１ビットオーディオ信号とを前記切り換え手段によって切り換えて前記Ｄ／Ａ変換手段に供給する制御手段とを備え、
　前記監視手段にて前記メモリ手段の蓄積量が０から徐々に増加し第１の所定値を超えたのを検出すると、前記制御手段は前記ミュート信号生成手段から出力されていた前記ミュート信号と前記１ビットオーディオ信号との切り替わり点を予測し、予測した切り替わり点に基づいて前記ミュート信号を表す１ビットデジタル信号を前記１ビットオーディオ信号に前記切り換え手段にてフェーダ処理を施しながら切り換え、
　前記監視手段にて前記メモリ手段の蓄積量が０に徐々に近づき第２の所定値以下になるのを検出すると、前記制御手段は前記メモリ手段から読み出された１ビットオーディオ信号と前記ミュート信号生成手段から出力されていた前記ミュート信号との切り替わり点を予測し、予測した切り替わり点に基づいて前記１ビットオーディオ信号と前記ミュート信号を表す１ビットデジタル信号を前記切り換え手段でフェーダ処理を施しながら切り換える
　ことを特徴とするデジタル信号処理装置。
【請求項２】　所定の伝送路を介して伝送されてくるΔΣ変調されている１ビットオーディオ信号を受信する受信工程と、
　前記受信工程にて受信された１ビットオーディオ信号を一旦蓄積するメモリ手段の蓄積量といくつかの所定値との関係に基づいてそのデータ蓄積量を監視する監視工程と、
　ミュート信号を表す１ビットデジタル信号を生成するミュート信号生成工程と、
　前記メモリ手段から読み出された１ビットオーディオ信号と前記ミュート信号生成工程から出力されるミュート信号を表す１ビットデジタル信号とをフェーダ処理して切り換える切り換え工程と、
　前記切り換え工程から出力される１ビットデジタル信号をアナログ信号に変換するＤ／Ａ変換工程と、
　前記監視工程にて前記メモリ手段の蓄積量が０から徐々に増加し第１の所定値を超えたのを検出すると、前記ミュート信号生成工程から出力されていた前記ミュート信号と前記１ビットオーディオ信号との切り替わり点を予測し、予測した切り替わり点に基づいて前記ミュート信号を表す１ビットデジタル信号を前記メモリ手段から読み出された１ビットオーディオ信号に前記切り換え工程にてフェーダ処理を施しながら切り換える第１の切り換え工程と、
　前記監視工程にて前記メモリ手段の蓄積量が０に徐々に近づき第２の所定値以下になるのを検出すると、前記メモリ手段から読み出された１ビットオーディオ信号と前記ミュート信号生成工程から出力されていた前記ミュート信号との切り替わり点を予測し、予測した切り替わり点に基づいて前記１ビットオーディオ信号と前記ミュート信号を表す１ビットデジタル信号を前記切り換え工程でフェーダ処理を施しながら切り換える第２の切り換え工程と、
　を備えることを特徴とするデジタル信号処理方法。
【請求項３】　ΔΣ変調されている１ビットオーディオ信号を再生するデジタル信号再生装置と、前記デジタル信号再生装置によって再生された１ビットオーディオ信号を所定の伝送路を介して受信してなるデジタル信号受信装置からなるデジタル信号再生受信システムであって、
　前記デジタル信号受信装置は、
　前記所定の伝送路を介して伝送されてくるΔΣ変調されている１ビットオーディオ信号を受信する受信手段と、
　前記受信手段にて受信された１ビットオーディオ信号を一旦蓄積するメモリ手段と、
　前記メモリ手段の蓄積量といくつかの所定値との関係に基づいてそのデータ蓄積量を監視する監視手段と、
　ミュート信号を表す１ビットデジタル信号を生成するミュート信号生成手段と、
　前記メモリ手段から読み出された１ビットオーディオ信号と前記ミュート信号生成手段から出力されるミュート信号を表す１ビットデジタル信号とをフェーダ処理して切り換える切り換え手段と、
　前記切り換え手段から出力される１ビットデジタル信号をアナログ信号に変換するＤ／Ａ変換手段と、
　前記監視手段が監視している、前記メモリ手段の蓄積量と前記いくつかの所定値との関係に基づいて前記ミュート信号生成手段から出力されるミュート信号を表す１ビットデジタル信号と前記メモリ手段から読み出された１ビットオーディオ信号とを前記切り換え手段によって切り換えて前記Ｄ／Ａ変換手段に供給する制御手段とを備え、
　前記監視手段にて前記メモリ手段の蓄積量が０から徐々に増加し第１の所定値を超えたのを検出すると、前記制御手段は前記ミュート信号生成手段から出力されていた前記ミュート信号と前記１ビットオーディオ信号との切り替わり点を予測し、予測した切り替わり点に基づいて前記ミュート信号を表す１ビットデジタル信号を前記１ビットオーディオ信号に前記切り換え手段にてフェーダ処理を施しながら切り換え、
　前記監視手段にて前記メモリ手段の蓄積量が０に徐々に近づき第２の所定値以下になるのを検出すると、前記制御手段は前記メモリ手段から読み出された１ビットオーディオ信号と前記ミュート信号生成手段から出力されていた前記ミュート信号との切り替わり点を予測し、予測した切り替わり点に基づいて前記１ビットオーディオ信号と前記ミュート信号を表す１ビットデジタル信号を前記切り換え手段でフェーダ処理を施しながら切り換えることを特徴とするデジタル信号再生受信システム。」（下線は当審で付与した。）
　
　としていたものを、本件補正では、
　
「【請求項１】　所定の伝送路を介して伝送されてくるΔΣ変調されている１ビットオーディオ信号と無音状態を示す信号とを受信する受信手段と、
　前記受信手段にて受信された１ビットオーディオ信号を一旦蓄積するメモリ手段と、
　前記受信手段にて受信された信号から前記１ビットオーディオ信号のみを前記メモリ手段に供給する供給手段と、
　前記メモリ手段の蓄積量を監視する監視手段と、
　ミュート信号を表す１ビットデジタル信号を生成するミュート信号生成手段と、
　前記メモリ手段から読み出された１ビットオーディオ信号と前記ミュート信号生成手段から出力されるミュート信号を表す１ビットデジタル信号とをフェーダ処理して切り換える切り換え手段と、
　前記切り換え手段から出力される１ビットデジタル信号をアナログ信号に変換するＤ／Ａ変換手段と、
　前記メモリ手段に第１の所定量を超えるデータが蓄積されるまでの期間は前記切り換え手段から前記ミュート信号生成手段で生成されたミュート信号が出力されるように制御し、前記メモリ手段に第１の所定量を超えるデータが蓄積されたと前記監視手段によって判定された場合には前記メモリ手段からのデータが出力されるように制御すると共に前記切り換え手段によって前記ミュート信号から前記メモリ手段の１ビットオーディオ信号が前記Ｄ／Ａ変換手段に出力されるようにクロスフェード切り換え制御し、前記メモリ手段に蓄積された１ビットオーディオ信号のデータ量が第２の所定量より少なくなったと前記監視手段によって判定された場合には前記切り換え手段によって前記メモリ手段からの１ビットオーディオ信号から前記ミュート信号生成手段のミュート信号が前記Ｄ／Ａ変換手段に出力されるようにクロスフェード切り換え制御する制御手段と
　を備えるデジタル信号処理装置。
【請求項２】　所定の伝送路を介して伝送されてくるΔΣ変調されている１ビットオーディオ信号と無音状態を示す信号とを受信する受信工程と、
　前記受信工程にて受信された１ビットオーディオ信号のみを前記メモリ手段に供給すると共に前記１ビットオーディオ信号を一旦蓄積する前記メモリ手段の蓄積量を監視する供給／監視工程と、
　ミュート信号を表す１ビットデジタル信号を生成するミュート信号生成工程と、
　前記メモリ手段から読み出された１ビットオーディオ信号と前記ミュート信号生成工程から出力されるミュート信号を表す１ビットデジタル信号とをフェーダ処理して切り換える切り換え工程と、
　前記切り換え工程から出力される１ビットデジタル信号をアナログ信号に変換するＤ／Ａ変換工程と、
　前記メモリ手段に第１の所定量を超えるデータが蓄積されるまでの期間は前記切り換え工程から前記ミュート信号生成工程で生成されたミュート信号が出力されるように制御し、前記メモリ手段に第１の所定量を超えるデータが蓄積されたと前記供給／監視工程によって判定された場合には前記メモリ手段からのデータが出力されるように制御すると共に前記切り換え工程によって前記ミュート信号から前記メモリ手段の１ビットオーディオ信号が前記Ｄ／Ａ変換工程に出力されるようにクロスフェード切り換え制御し、前記メモリ手段に蓄積された１ビットオーディオ信号のデータ量が第２の所定量より少なくなったと前記供給／監視工程によって判定された場合には前記切り換え工程によって前記メモリ手段からの１ビットオーディオ信号から前記ミュート信号生成工程のミュート信号が前記Ｄ／Ａ変換工程に出力されるようにクロスフェード切り換え制御する制御工程と
　を備えるデジタル信号処理方法。
【請求項３】　ΔΣ変調されている１ビットオーディオ信号を再生するデジタル信号再生装置と、前記デジタル信号再生装置によって再生された１ビットオーディオ信号を所定の伝送路を介して受信してなるデジタル信号受信装置からなるデジタル信号再生受信システムであって、
　前記デジタル信号受信装置は、
　所定の伝送路を介して伝送されてくるΔΣ変調されている１ビットオーディオ信号と無音状態を示す信号とを受信する受信手段と、
　前記受信手段にて受信された１ビットオーディオ信号を一旦蓄積するメモリ手段と、
　前記受信手段にて受信された信号から前記１ビットオーディオ信号のみを前記メモリ手段に供給する供給手段と、
　前記メモリ手段の蓄積量を監視する監視手段と、
　ミュート信号を表す１ビットデジタル信号を生成するミュート信号生成手段と、
　前記メモリ手段から読み出された１ビットオーディオ信号と前記ミュート信号生成手段から出力されるミュート信号を表す１ビットデジタル信号とをフェーダ処理して切り換える切り換え手段と、
　前記切り換え手段から出力される１ビットデジタル信号をアナログ信号に変換するＤ／Ａ変換手段と、
　前記メモリ手段に第１の所定量を超えるデータが蓄積されるまでの期間は前記切り換え手段から前記ミュート信号生成手段で生成されたミュート信号が出力されるように制御し、前記メモリ手段に第１の所定量を超えるデータが蓄積されたと前記監視手段によって判定された場合には前記メモリ手段からのデータが出力されるように制御すると共に前記切り換え手段によって前記ミュート信号から前記メモリ手段の１ビットオーディオ信号が前記Ｄ／Ａ変換手段に出力されるようにクロスフェード切り換え制御し、前記メモリ手段に蓄積された１ビットオーディオ信号のデータ量が第２の所定量より少なくなったと前記監視手段によって判定された場合には前記切り換え手段によって前記メモリ手段からの１ビットオーディオ信号から前記ミュート信号生成手段のミュート信号が前記Ｄ／Ａ変換手段に出力されるようにクロスフェード切り換え制御する制御手段と
　を備えることを特徴とするデジタル信号再生受信システム。」
と補正しようとするものである。
　　
２．補正の適否
　そこで、本件補正が適法なものであるか否かについて検討する。
　本件補正の請求項１乃至３は、それぞれ本件補正前の請求項１乃至３に対応させることができるので、本件補正は、請求項の削除を目的とするものでないことは明らかである。
　まず、本件補正の請求項１を本件補正前の請求項１と比較すると、要するに、監視手段が監視するメモリ手段の「蓄積量」に関し、発明特定事項から「いくつかの所定量との関係に基づいてその蓄積量」が削除され、「制御手段」の態様に関し、発明特定事項から「前記ミュート信号生成手段から出力されていた前記ミュート信号と前記１ビットオーディオ信号との切り替わり点を予測し、予測した切り替わり点に基づいて」及び「前記メモリ手段から読み出された１ビットオーディオ信号と前記ミュート信号生成手段から出力されていた前記ミュート信号との切り替わり点を予測し、予測した切り替わり点に基づいて」が削除されている。
　したがって、本件補正の請求項１についての補正は、本件補正前の請求項１の発明特定事項を限定したものとすることができない。
　また、請求項１と同様の補正をする、本件補正の請求項２及び３についての補正も、本件補正前の請求項２及び３の発明特定事項を限定したものとすることができない。
　したがって、本件補正の請求項１乃至３についての補正は、特許請求の範囲の減縮を目的とするものとは認められない。そして、本件補正の請求項１乃至３についての補正が、誤記の訂正を目的とするものでも、明りょうでない記載の釈明を目的とするものでもないことは明らかである。
　
３．本件補正についてのむすび
　
　以上のとおり、本件補正は、平成１８年改正前特許法第１７条の２第４項の各号で規定する要件に違反するものであり、特許法第１５９条第１項において読み替えて準用する同法第５３条第１項の規定により却下すべきものである。
　
第３　本願発明について
　
１．本願発明
　
　平成１７年８月１日付けの手続補正は上記のとおり却下されたので、本願の請求項１乃至３に係る発明は、平成１７年５月２日付け手続補正書により補正された特許請求の範囲の請求項１乃至３に記載されたとおりのものであるところ、請求項１に係る発明（以下、「本願発明」という。）は、上記「第２［理由」１．」に記載したとおりのものである。
　
２．引用例
　
　原査定の拒絶の理由に引用された特開２０００−１６３８８８号公報（以下、「引用例１」という。）は１ビットデジタル信号を再生する装置に関するものであって、図面と共に次の技術事項が記載されている。なお、下線は当審で付与した。
（１）「【特許請求の範囲】
【請求項１】　ΔΣ変調により得られた１ビットデジタル信号が記録された記録媒体から１ビットデジタル信号を再生する再生装置において、
上記記録媒体から上記１ビットデジタル信号を再生する再生手段と、
上記再生手段が再生した上記１ビットデジタル信号中のエラーを検出するエラー検出手段と、
上記再生手段が再生した上記１ビットデジタル信号を記憶する記憶手段と、
上記記憶手段から出力される上記１ビットデジタル信号に対して上記エラー検出手段で検出されたエラーに応じたフェード処理を施すフェード処理手段とを備えることを特徴とする再生装置。
【請求項２】〜【請求項８】（省略）
【請求項９】　上記
フェード処理手段は、上記記憶手段のデータ蓄積量が所定値以下になったらフェードアウト処理を施す
【請求項１０】　上記
フェード処理手段は、上記記憶手段のデータ蓄積量が所定値以上になったらフェードイン処理を施す
【請求項１１】〜【請求項２４】（省略）」
　
（２）「【０００１】
【発明の属する技術分野】本発明は、記録媒体に予め記録されている
ΔΣ変調により得られた１ビットデジタル信号を再生する再生装置
　
（３）「【００１６】
【発明の実施の形態】以下、本発明の実施の形態について図面を参照しながら説明する。先ず、この実施の形態の構成を図１に示す。すなわち、この実施の形態は、光ディスク１１に予め記録されている、ΔΣ変調により得られた１ビットオーディオ信号を再生するオーディオディスクプレーヤ１０である。
【００１７】このオーディオディスクプレーヤ１０は、
光ディスク１１からＲＦ信号、フォーカスエラー信号及びトラッキングエラー信号を読み出す光学ピックアップ１２と、光学ピックアップ１２が読み出したＲＦ信号に波形整形処理を施したり、フォーカスエラー信号ＦＥ及びトラッキングエラー信号ＴＥを増幅するＲＦ回路１３と、ＲＦ回路１３で波形整形されたＲＦ信号に復調処理や、ＥＣＣ処理を施して再生用１ビットデジタル信号Ｄ
Ｒ
を得ると共に、ＥＣＣ処理によってでも訂正不能なエラーデータを検出し、かつディスクに記録されていたＣＬＶ速度及び位相情報を読み出す第１信号処理部１４と、第１信号処理部１４からの再生用１ビットデジタル信号Ｄ
Ｒ
に対してデコード処理を施す第２信号処理部１５と、第２信号処理部１５でデコードされた１ビットデジタル信号をアナログのオーディオ信号に変換する１ビットＤ／Ａ変換器２２とを備えている。１ビットＤ／Ａ変換器２２からのアナログのオーディオ信号は出力端子２３に供給される
　
（４）「【００２２】第２信号処理部１５は、第１信号処理部１４からの再生用１ビットデジタル信号ＤＲに対して上記エラーフラグｆｅに基づいた、ミュートのためのフェード処理を伴ったデコード処理を施すため、またシステムコントローラ２７からの制御信号ＣＮＴに基づいた、ミュートのためのフェード処理を伴ったデコード処理を施すために以下の構成をとる。すなわち、
第２信号処理部１５は、上記再生用１ビットデジタル信号Ｄ
Ｒ
を一定レートで再生するためのバッファ１６と、バッファ１６から読み出した再生用１ビットデジタル信号Ｄ
Ｒ
’をデコードするデコーダ１７と、デコーダ１７からのデコード出力の内、音楽データＤ
Ａ
に対してミュートのためのフェード処理を施すフェード処理部１８
上記フェード処理部１８のミュートのためのフェード処理を制御するフェード制御部２１
　
（５）「【００６０】図６には
１ビット信号で完全に無音となるミュート信号を発生するミュート信号発生器４９
切り換えスイッチ４７は、音声データＤ
Ａ
とフェード処理された１ビット信号、さらにミュート信号を切り換えてクロスフェード処理を伴ったミュート処理
　
（６）【００６３】なお、図７に示すように、オーディオディスクプレーヤ１０は、
第２信号処理部１５内部のバッファ１６とフェード制御部２１の間に、エラーフラグ判断部２０と並列になるようにメモリコントローラ３８を備え、バッファ１６が空になったときにフェード処理を行う
【００６４】
メモリコントローラ３８は、バッファ１６への信号の書き込み読み出しを監視し
エムプティフラグｆ
ｐ
がアクティブになるのはバッファ１６の残りデータが所定の数より少なくなった時点
【００６５】
フェード制御部２１は、アクティブのエムプティフラグｆ
ｐ
を受け取ると、バッファ１６が空になった場合に再生データが無いことでノイズが出ないように、エラー時と同様にミュートフラグｆ
ｍ
及びステップフラグｆ
ｓ
を出力する。このため、バッファ１６が空になる前にフェードアウト処理を完了させミュートオン処理を行う
【００６６】
ミュートの解除はバッファ１６にデータが所定の数より多く溜まってからミュートフラグｆ
ｍ
をインアクティブにすればよく
【００６７】この図７に示したオーディオディスクプレーヤ１０によれば、上記図１のオーディオディスクプレーヤ１０で得られた効果の他、
バッファ１６が空になる場合もノイズを出すことがない
　
　上記摘示事項及び図面の記載を総合勘案すると、上記引用例１には、次の発明が記載されているものと認める。
　
「光ディスク１１からＲＦ信号を読み出す光学ピックアップ１２と、光学ピックアップ１２が読み出したＲＦ信号に波形整形処理を施すＲＦ回路１３と、ＲＦ回路１３で波形整形されたＲＦ信号に復調処理や、ＥＣＣ処理を施して再生用１ビットデジタル信号ＤＲを得ると共に、ＥＣＣ処理によってでも訂正不能なエラーデータを検出する第１信号処理部１４と、第１信号処理部１４からの再生用１ビットデジタル信号ＤＲに対してデコード処理を施す第２信号処理部１５と、第２信号処理部１５でデコード処理された１ビットデジタル信号をアナログのオーディオ信号に変換する１ビットＤ／Ａ変換器２２とを備えている再生装置（オーディオディスクプレーヤ）において、第２信号処理部１５は、上記再生用１ビットデジタル信号ＤＲを一定レートで再生するためのバッファ１６と、バッファ１６から読み出した再生用１ビットデジタル信号ＤＲ’をデコードするデコーダ１７と、デコーダ１７からのデコード出力の内、音楽データＤＡに対してミュートのためのフェード処理を施すフェード処理部１８であって、フェード制御部１８は、１ビット信号で完全に無音となるミュート信号を発生するミュート信号発生器４９と、音楽データＤＡとフェード処理された１ビット信号、さらにミュート信号を切り換えてクロスフェード処理を伴ったミュート処理を行う切り換えスイッチ４７とを備えるフェード処理部１８と、フェード処理部１８のミュートのためのフェード処理を制御するフェード制御部２１とを備え、さらに、第２信号処理部１５内部のバッファ１６とフェード制御部２１の間にメモリコントローラ３８を備え、メモリコントローラ３８は、バッファ１６への信号の書き込み読み出しを監視し、上記デコーダ１７から読み出される音楽データ列ＤＡよりも所定時間だけ前に読みだされる判断用データ列Ｄｄで、所定の曲が終わろうとするとき、空になる数ｍｓｅｃ手前からアクティブのエムプティフラグｆｐを送り、つまり、エムプティフラグｆｐがアクティブになるのはバッファ１６の残りデータが所定の数より少なくなった時点であり、フェード制御部２１は、アクティブのエムプティフラグｆｐを受け取ると、バッファ１６が空になった場合に再生データが無いことでノイズが出ないようにミュートフラグｆｍ及びステップフラグｆｓを出力し、このため、バッファ１６が空になる前にフェードアウト処理を完了させミュートオン処理を行い、ミュートの解除はバッファ１６にデータが所定の数より多く溜まってからミュートフラグｆｍをインアクティブにし、ステップフラグｆｓはそれから所定の数だけ更に保持した後にインアクティブとする再生装置。」
　
　同じく、原査定の拒絶の理由に引用された欧州特許出願公開第１０８７５５７号明細書公報（以下、「引用例２」という。）には、図面と共に次の技術事項が記載されている。
（７）「［００５１］　Ｆｉｇ．１　ｓｈｏｗｓａ　ＤＶＤ（ｄｉｇｉｔａｌ　ｖｅｒｓａｔｉｌｅ　ｄｉｓｃ）ｐｌａｙｅｒ　１　ｆｏｒ　ｐｌａｙｉｎｇ　ｂａｃｋ　ａ　ＤＶＤ　ａｎｄ　ｉｓｓｕｉｎｇ　ａｔ　ｌｅａｓｔ　ａ　ｄｉｇｉｔａｌ　ａｕｄｉｏ　ｏｕｔｐｕｔ　ｔｏ　ａｎ　ＩＥＥＥ１３９４　ｂｕｓ　１３　ａｓ　ｔｒａｎｓｍｉｓｓｉｏｎ　ｒｏｕｔｅ　ａｓ　ａｎ　ｅｘａｍｐｌｅ　ｏｆ　ａｕｄｉｏ　ｔｒａｎｓｍｉｔｔｉｎｇ　ａｐｐａｒａｔｕｓ，ａｎｄ　ａｎ　ａｍｐｌｉｆｉｅｒ　２　ｆｏｒ　ｒｅｐｒｏｄｕｃｉｎｇ　ｄｉｇｉｔａｌ　ａｕｄｉｏ　ｄａｔａ　ｉｓｓｕｅｄ　ｔｏ　ｔｈｅ　ＩＥＥＥ１３９４　ｂｕｓ　１３　ａｓ　ａｎ　ｅｘａｍｐｌｅ　ｏｆ　ａｕｄｉｏ　ｒｅｃｅｉｖｉｎｇ　ａｐｐａｒａｔｕｓ．」
（当審訳：図１において、１はオーディオ送信装置の一例として、ＤＶＤ（ｄｉｇｉｔａｌ　ｖｅｒｓｓａｔｉｌｅ　ｄｉｓｃ）を再生し、少なくともディジタルオーディオ出力を伝送路としてのＩＥＥＥ１３９４バスに出力するＤＶＤプレーヤ、２はオーディオ受信装置としての一例として、ＩＥＥＥ１３９４バスに出力されたディジタルオーディオデータを再生するアンプである。）
　　
３．対比
　
　本願発明と引用例１に記載された発明とを対比する。
（１）引用例１に記載された発明は、再生装置に関するものであるが、１ビットオーディオ信号のフェード処理を行うものであるから、本願発明の「デジタル信号処理装置」と共通するものである。
（２）引用例１に記載された発明における「１ビットデジタル信号（１ビットオーディオ信号）」「バッファ１６」「１ビットＤ／Ａ変換器２２」及び「所定値（所定の数）」は、それぞれ、本願発明の「１ビットオーディオ信号」「メモリ手段」「Ｄ／Ａ変換手段」及び「第１（２）の所定値」に相当する。
（３）引用例１に記載された発明における「メモリコントローラ３８」は、バッファ１６への信号の書き込み読み出しを監視し、バッファ１６の残りデータが「所定の数」より少なくなった時点及びバッファ１６にデータが「所定の数」より多く溜まった時点を監視するものであるから、本願発明の「監視手段」に相当する。
（４）引用例１に記載された発明における「ミュート信号発生器４９」は、１ビット信号で完全に無音となるミュート信号を発生するものであるから、本願発明の「ミュート信号生成手段」に相当する。
（５）引用例１に記載された発明における「切り換えスイッチ４７」は、フェード処理された１ビット信号とミュート信号を切り換えてクロスフェード処理を伴ったミュート処理を行うものであるから、本願発明の「切り換え手段」に相当する。
（６）引用例１に記載された発明における「フェード処理部１８」は、切り換えスイッチ４７で１ビット信号とミュート信号を切り換えてクロスフェード処理を行って１ビットＤ／Ａ変換器２２に送るものであるから、本願発明の「制御手段」に相当する。
（７）引用例１に記載された発明は、「メモリコントローラ３８」が「バッファ１６にデータが所定の数より多く溜まった」のを監視し、ミュートフラグｆｍをインアクティブにし「ミュートの解除を行い」、「フェード処理された１ビット信号、さらにミュート信号を切り換えてクロスフェード処理を伴ったミュート処理」（フェードイン処理）を行うものであるから、本願発明の「前記監視手段にて前記メモリ手段の蓄積量が０から徐々に増加し第１の所定値を超えたのを検出すると、前記制御手段は前記ミュート信号生成手段から出力されていた前記ミュート信号と前記１ビットオーディオ信号との切り替わり点を予測し」、「予測した切り替わり点に基づいて前記ミュート信号を表す１ビットデジタル信号を前記１ビットオーディオ信号に切り換え手段にてフェーダ処理を施しながら切り換え」にそれぞれ相当する構成を備えているといえる。
（８）引用例１に記載された発明は、「メモリコントローラ３８」が「バッファ１６の残りデータが所定の数より少なくなった時点」を監視し、「フェード制御部２１」にアクティブのエムプティフラグｆｐを送り、「フェード制御部２１」は、バッファ１６が空になる前に「フェード処理された１ビット信号、さらにミュート信号を切り換えてクロスフェード処理を伴ったミュート処理」（フェードアウト処理）を行うものであるから、本願発明の「前記監視手段にて前記メモリ手段の蓄積量が０に徐々に近づき第２の所定値以下になるのを検出すると、前記制御手段は前記メモリ手段から読み出された１ビットオーディオ信号と前記ミュート信号生成手段から出力されていた前記ミュート信号との切り替わり点を予測し」、「予測した切り替わり点に基づいて前記１ビットデジタル信号と前記ミュート信号を表す１ビットオーディオ信号を前記切り換え手段でフェーダ処理を施しながら切り換える」にそれぞれ相当する構成を備えているといえる。　
　
　そうすると、本願発明と引用例１に記載された発明とは次の点で一致する。
＜一致点＞
「１ビットオーディオ信号を一旦蓄積するメモリ手段と、
　前記メモリ手段の蓄積量といくつかの所定値との関係に基づいてそのデータ蓄積量を監視する監視手段と、
　ミュート信号を表す１ビットデジタル信号を生成するミュート信号生成手段と、
　前記メモリ手段から読み出された１ビットオーディオ信号と前記ミュート信号生成手段から出力されるミュート信号を表す１ビットデジタル信号とをフェード処理して切り換える切り換え手段と、
　前記切り換え手段から出力される１ビットデジタル信号をアナログ信号に変換するＤ／Ａ変換手段と、
　前記監視手段が監視している、前記メモリ手段の蓄積量と前記いくつかの初定値との関係に基づいて前記ミュート信号生成手段から出力されるミュート信号を表す１ビットデジタル信号と前記メモリ手段から読み出された１ビットオーディオ信号とを前記切り換え手段によって切り換えて前記Ｄ／Ａ変換手段に供給する制御手段とを備え、
　前記監視手段にて前記メモリ手段の蓄積量が０から徐々に増加し第１の所定値を超えたのを検出すると、前記制御手段は前記ミュート信号生成手段から出力されていた前記ミュート信号と前記１ビットオーディオ信号との切り替わり点を予測し、予測した切り替わり点に基づいて前記ミュート信号を表す１ビットデジタル信号を前記１ビットオーディオ信号に前記切り換え手段にてフェーダ処理を施しながら切り換え、
　前記監視手段にて前記メモリ手段の蓄積量が０に徐々に近づき第２の所定値以下になるのを検出すると、前記制御手段は前記メモリ手段から読み出された１ビットオーディオ信号と前記ミュート信号生成手段から出力されていた前記ミュート信号との切り替わり点を予測し、予測した切り替わり点に基づいて前記１ビットデジタル信号を前記切り換え手段でフェーダ処理を施しながら切り換えるデジタル信号処理装置」の点。
　
　そして、次の点で相違する。
＜相違点＞
（ａ）本願発明は、「所定の伝送路を介して伝送されてくる」ΔΣ変調されている１ビットオーディオ信号を受信する「受信手段」を備えているに対し、引用例１に記載された発明は、そのような手段を備えていない点（以下、「相違点ａ」という。）。
（ｂ）メモリ手段に蓄積する「１ビットオーディオ信号」について、本願発明は、「受信手段」で受信された信号であるのに対し、引用例１に記載された発明は、「光ディスク」から読み出された信号である点（以下、「相違点ｂ」という。）。
　
４．判断
（相違点ａ，ｂについて）
　一般に、伝送されてくるオーディオ信号を受信して再生する受信再生は、当該技術分野においては、周知の形態である。
　そして、デジタルオーディオ信号を再生する再生装置に関して、引用例１に記載された発明及び本願発明と共通する引用例２には、１ビットオーディオ信号ではないが、伝送路としてのＩＥＥＥ１３９４バスに出力されたディジタルオーディオデータを再生するオーディオ受信装置が記載されている。
　そうすると、引用例１に記載された発明に、引用例２に記載された技術を適用して、「１ビットオーディオ信号」を光ディスクから読み出す構成に代えて、所定の伝送路を介して伝送されてくる１ビットオーディオ信号を「受信手段」で受信する構成とし、そして、「受信手段」で受信された信号をメモリ手段に蓄積するような構成とすること、即ち、相違点ａ，ｂのように、「所定の伝送路を介して伝送されてくるΔΣ変調されている１ビットオーディオ信号を受信する受信手段」を備え、受信された１ビットオーディオ信号をメモリ手段に蓄積する構成とすることは、当業者が格別の創意工夫を要することなく容易に想到できたものである。
　
　また、上記各相違点についての判断を総合しても本願発明の奏する効果は引用例１から当業者が十分予測可能なものであって格別のものとは云えない。
　
５．本願発明についてのむすび
　
　以上のとおりであるから、本願の請求項１に係る発明は、引用例１及び２に記載された発明に基づいて当業者が容易に発明をすることができたものであるから、特許法第２９条第２項の規定により特許を受けることができない。　
　したがって、その余の請求項について論及するまでもなく、本願は拒絶すべきものである。
　よって、結論のとおり審決する。